(57)【特許請求の範囲】
【請求項１】
ケース本体と、カバー部と、前記ケース本体と前記カバー部とを重合させた際に整合して該両者を連通する穴である開放防止部とを備え、該開放防止部に締付部材を挿入することにより、遊技機の制御を行なうための電子部品が実装された回路基板を内部に封止する遊技機の基板ケースにおいて、
当該基板ケースの外側において前記カバー部に開放端が連結され、内部に、前記締付部材の予備である予備締付部材を収容可能な空間が形成されたコ字状の連結部材を備え、
前記予備締付部材は、前記連結部材の内部空間内に配置された状態で、前記連結部材を介して前記カバー部と一体に形成されるとともに、前記連結部材における前記カバー部に対向する箇所で前記連結部材に取り付けられる
ことを特徴とする遊技機の基板ケース。
【請求項２】
請求項１に記載の遊技機の基板ケースにおいて、
前記予備締付部材が、再封止可能な回数分、一体形成されている
ことを特徴とする遊技機の基板ケース。
【発明の詳細な説明】
【０００１】
【発明の属する技術分野】
本発明は、遊技機の制御用ＲＯＭなどが実装された回路基板を収納するための基板ケースに関する。
【０００２】
【従来の技術】
従来の遊技機においては、裏面側に、遊技の制御を行なう回路基板を収容した基板ケースが設けられている。パチンコ機の場合、回路基板には遊技制御を行なう主制御装置や球払出装置を制御する払出制御装置などの制御回路を成すＩＣや抵抗などの各種電子部品が実装されており、基板ケースはこの回路基板を外部から保護する役割をしている。
【０００３】
近年、このようなパチンコ機が設置されたパチンコホールにて、記憶されたプログラムに従い大当たりなどを判定している主制御装置のＲＯＭを不正に交換する行為が行なわれている。そこで、この基板ケースに封止部を設け、不正に開封されることを防止する技術が開示されている。具体的には、基板ケースのケース本体（パチンコ機に取り付けられる側の部材）に各種電子部品が実装された基板をボルト締めし、カバー部にて覆い、封止部にて封止する構造を採っている。
【０００４】
パチンコ機の基板ケースは製造後にこの封止部を用いて一旦封止するが、警察などの機関によって開封されることがあるため、複数回封止可能となっている。例えば、封止部として、ケース本体およびカバー部の縁に夫々複数個のボスを設け、ケース本体をカバー部で覆うと両者のボスの位置が整合するようにしておく。こうして位置が整合したボスの内の１〜２個を、ワンウェイねじなどを用いて固定する。こうすると、開封をするにはボスを基板ケースから切断するしかない。１回の封止に２個のボスを用いるとすれば、ケース本体に設けられたボスの数の１／２の回数だけ封止を行なうことができる。
【０００５】
【発明が解決しようとする課題】
ところで、ワンウェイねじは緩めることができないため、１度封止に用いられたワンウェイねじは、ボスから取り外すことはできない。従って再度封止をする際には、新たなワンウェイねじを用意する必要があるが、ワンウェイねじは特殊なねじであるため、用意に手間が掛かる。
【０００６】
本発明はかかる課題に鑑みなされたもので、封止部を開封し、再封止する際の手間を低減した基板ケースを提供することを目的とする。
【０００７】
【課題を解決するための手段】
かかる課題を解決するためになされた本発明の請求項１に記載の遊技機の基板ケースは、ケース本体と、カバー部と、前記ケース本体と前記カバー部とを重合させた際に整合して該両者を連通する穴である開放防止部とを備え、該開放防止部に締付部材を挿入することにより、遊技機の制御を行なうための電子部品が実装された回路基板を内部に封止する遊技機の基板ケースにおいて、
当該基板ケースの外側において前記カバー部に開放端が連結され、内部に、前記締付部材の予備である予備締付部材を収容可能な空間が形成されたコ字状の連結部材を備え、
前記予備締付部材は、前記連結部材の内部空間内に配置された状態で、前記連結部材を介して前記カバー部と一体に形成されるとともに、前記連結部材における前記カバー部に対向する箇所で前記連結部材に取り付けられることを特徴とする。
【００１０】
請求項２に記載の本発明は、請求項１に記載の遊技機の基板ケースにおいて、前記予備締付部材が、再封止可能な回数分、一体形成されていることを特徴とする。
【００１３】
【発明の実施の形態】
請求項１に記載の遊技機の基板ケース（以下、基板ケースとも言う）では、カバー部とケース本体とを重合させることにより回路基板を収容する。カバー部およびケース本体には夫々穴が形成されており、両者を互いに重合させると、穴が整合して連通する。これが開放防止部である。ここに締付部材を挿入すると、カバー部およびケース本体の重合が解けなくなり、回路基板を封止することができる。
【００１４】
そしてこの基板ケースには、封止を解いた後、再封止をする際に用いる予備締付部材が基板ケースの外側に保持されている。従って、請求項１に記載の基板ケースによれば、再封止をする際に、新たな締付部材を用意する手間が要らない。
【００２０】
請求項２に記載の本発明では、予備締付部材が、再封止可能な回数分、一体形成されている。こうすれば、再封止に要する予備締付部材を一切用意する必要がなくなる。また、予備締付部材が視認可能な位置に一体形成されていれば、残っている予備締付部材の数から、あと何回、再封止できるかを知ることができる。
【００２４】
【実施例】
以下に本発明の実施例を図面と共に説明する。
まず、図１は本発明を適用した基板ケース１が設けられたパチンコ機の裏面を示す説明図である。基板ケース１は本図に示す様に、パチンコ機の裏面の略中央に取り付けられており、画像制御基板３、賞球制御基板５などとコネクタ群７を介して結線される。
【００２５】
図２に基板ケース１の斜視図を示す。基板ケース１は、パチンコ機に直接取り付けられるケース本体９と、ケース本体９に重合されるカバー部１１とを備えている。カバー部１１は無蓋箱状の透明の合成樹脂にて形成されており、内部に回路基板が収納されている。そして本図に示すケース本体９に重合された状態で、ピン１３がピン挿入口１５に入れられることにより回路基板が封止される。なお、ケース本体９も透明の合成樹脂にて形成されている。
【００２６】
ピン挿入口１５は４個用意されており、これによりパチンコ機の出荷時を含めて計４回封止が可能にされている。ピン挿入口１５は、これを使用する順序を示す数字がカバー部１１の上面に形成されている。すなわち本図において左から２番目、左から３番目、左端、右端の順で一つずつピン挿入口１５は用いられる。最初に用いられるピン挿入口１５は他の３つのピン挿入口１５よりも手前にずれた位置に形成されている。これについては後述する。また、２回目以降の封止を行なうための予備ピン１７が３本、ブラケット１８を介してカバー部１１に一体形成されている。なお、本図には示されていないが、ブラケット１８には使用する予備ピン１７の順序が数字で本図の左から順に２、３、４と示されている（１はピン１３）。ここでピン１３が締付部材に、予備ピン１７が予備締付部材に、それぞれ相当する。
【００２７】
基板ケース１では、回路基板はカバー部１１に取り付けられる。この様子を図３〜５に示す。まず図３に示すように、カバー部１１には破線で示すボス２３ａ、２３ｂが内部に設けられており、ここに回路基板２１を介してねじ２５を螺合させることにより回路基板２１を固定する。この際、回路基板２１は電子部品群２７が設けられた側の面がカバー部１１内を向くように固定される。なお、回路基板２１をボス２３ａ、２３ｂにあてがうに先んじて、コネクタカバー２９がカバー部１１に取り付けられる。コネクタカバー２９は、コネクタ群７の各コネクタの形状に対応した穴３２が形成された枠状部材であり、回路基板２１をカバー部１１に固定すると、コネクタ群７が穴３２を介してカバー部１１から露出される。一方、カバー部１１にはコネクタ群７を露出させるために、コネクタ窓３３が形成されている。これについて図４に示す。
【００２８】
図４はコネクタカバー２９をカバー部１１に取り付ける様子を図３とは逆方向から見た斜視図である。コネクタ窓３３は、コネクタカバー２９の穴３２よりも大きく、また、コネクタ群７を成すコネクタの内の幾つかはまとめて、１つのコネクタ窓３３から露出される。これは、カバー部１１に回路基板２１とはコネクタの形状や数が異なる回路基板を収容する場合に対応するためである。なお、コネクタカバー２９は、その両端付近に形成されたボス２３ａとほぼ同径の穴３５をボス２３ａに嵌めこむことによりカバー部１１に着脱自在に取り付けられる。従って、コネクタカバー２９を交換するだけで、回路基板２１以外の回路基板に対応できる。
【００２９】
回路基板２１をカバー部１１に取り付ける様子を図５（ａ）に示す。図５（ａ）は、この様子を図４と同方向から見た斜視図である。コネクタカバー２９をカバー部１１に取り付けた後、回路基板２１を、電子部品群２７が実装された側をカバー部１１の底面３７に向けて載置し、ねじ２５で固定する。すると図５（ｂ）のようになる。
【００３０】
カバー部１１をケース本体９に重合（以下、単に重合とも言う）させる様子について図６に示す。図６（ａ）は重合させる前の状態、図６（ｂ）は重合させた状態を示す図で、いずれも図２におけるＡ−Ａ′断面にて表している。なお、本図では、重合に特に重要な構成のみを示しており、ボス２３ａ、２３ｂや回路基板２１は省略している。
【００３１】
ケース本体９の本図の手前側の周壁４５および図示しない向こう側の周壁には、４つの凸片４７がそれぞれ形成されている。一方、周壁４５に対応するカバー部１１側の周壁４９（図５参照）の内側には、凸片４７に係止する４つの係止片５１、および係止前の段階で凸片４７に当接して重合操作中におけるカバー部１１の位置決めを行なう３つのガイド部５３が設けられている。なお、本図の最も左の凸片４７に対応するガイド部は、周壁３９の下面３９ａがその代わりを果たす。
【００３２】
カバー部１１をケース本体９に重合させるには、カバー部１１を図６（ａ）に示すような位置、すなわち、４つの凸片４７の上にガイド部５３または下面３９ａが位置するようにする。このとき、カバー部１１、ケース本体９の長手方向（本図において紙面に垂直な方向）の位置も整合させる。この位置からカバー部１１をケース本体９に接近させ、凸片４７をガイド部５３（または下面３９ａ）に当接させる。この状態からカバー部１１を本図の左方へスライドさせる。すると係止片５１が凸片４７の下側に係止して、カバー部１１がケース本体９から離れないようになる。
【００３３】
なお、以上説明した操作を逆に行なうとカバー部１１をケース本体９から離れさせることができる。封止を行なうためには前述のピン１３または予備ピン１７をピン挿入口１５に差し込む。これについて図７、８を用いて説明する。
図７は、カバー部１１がケース本体９に重合されていない様子を示す斜視図である。４つのピン挿入口１５は、その周囲がそれぞれ壁状に盛り上げられている。一方、ケース本体９側には、ピン挿入口１５に整合する位置に長方形の穴５９が形成された封止用ベース６１が取り付けられている。ピン挿入口１５と穴５９とが連通されて成る穴が本発明の開放防止部に相当する。封止用ベース６１の穴５９は貫通穴であるが、封止用ベース６１がケース本体９に取り付けられることにより底のあるものとなる。また、封止用ベース６１は黒色にされている。これにより、共に透明なケース本体９にカバー部１１に重合させた際にも、ピン挿入口１５の貫通穴がどこにあるかがよく分かり、作業性が良い。
【００３４】
ピン１３は略兀字型をしており、ピン挿入口１５（通常は左から２番目）に押し込むと、その二股になった部分が弾性変形して封止用ベース６１に入り込み、カバー部１１をケース本体９に対してスライド困難な状態にする。この様子を図８（ａ）に示す。図８（ａ）はピン１３を差し込んだピン挿入口１５を図２のＢ−Ｂ′で断面にした図である。本図に示す様に、穴５９ａはその途中に段が形成されており、ピン１３の鉤部６３がここに係止する。またこのとき、前述した壁状に盛り上げられた部分６５がピン１３の頂部６７を包囲する。そして、穴５９ａの底は、ケース本体９によって塞がれるため、この状態のピン１３を抜き取るのは極めて困難である。更に、本図に示す様に、ピン１３（予備ピン１７も同様）の鉤部６３が撓む方向が、カバー部１１のスライド方向と垂直にされている。このため、ピン１３（または予備ピン１７）がピン挿入口１５に刺さったまま、強引にカバー部１１をスライドさせることにより鉤部６３を撓ませ、ピン１３（または予備ピン１７）を抜く、といったことも不可能である。
【００３５】
なお、正規に封止を解く際には、壁状の部分６５をニッパなどで切り落し、更にピン１３を切断して抜き取る。この際、１番目のピン挿入口１５が他の貫通穴よりも前方に出ていることにより、壁状部分６５を容易に切断することができる。２番目以降は、１番目の貫通穴の壁状部分６５が切除されたことにより形成されるスペースを利用して切断することができる。そしてこれによりピン挿入口１５が形成された箇所の省スペース化を実現している。
【００３６】
また、封止を解いたときにはカバー部１１の上面に封止を解いた日付などを記載し、封止の履歴を残す。このようにピン１３および壁状部分６５を破壊しない限り、基板ケース１の封止を解くのは困難である。なお、基板ケース１の再封止をする際には、１つの予備ピン１７をカバー部１１から切除し、ピン挿入口１５の左から３番目の貫通穴に差し込む。１回の封止に用いる予備ピン１７は１本としておけば、最高４回封止を行なうことができ、また残された予備ピン１７の数から封止が解かれた回数を知ることができる。
【００３７】
なお、ピン１３には図７に示す様にその頂部６７に、マーク６８が形成されている。これは、ピン１３（又は予備ピン１７）が何回目の封止をするために用いるものであるかを示すものであり、ピン１３はマーク６８が１個、３本の予備ピン１７はマーク６８が夫々２個、３個、４個形成されている。
【００３８】
封止用ベース６１は、ねじ６９でケース本体９に内側から固定されている。従って、封止用ベース６１を取り外すのは封止が解かれた後でないと無理である。また、封止用ベース６１の穴５９ａ、５９ｂ、５９ｃ、５９ｄは、ピン挿入口１５の配置に対応しており、ピン１３が差し込まれる穴５９ａのみが図８（ｃ）に示すように他の穴５９ｂ〜５９ｄよりも前方（本図においては下方）にずれている。
【００３９】
図２のＣ−Ｃ′断面を図９に示す。本図に示す様に、重合させた際に回路基板２１はカバー部１１とケース本体９の境目よりも上側に位置している。しかも本図には示されていない電子部品群２７が、カバー部１１の内側に実装されているため、周壁４５の方向などから万が一、工具などを差し込んでも、回路基板２１に実装されたＲＯＭなどを交換するのは不可能である。なお、電子部品群２７がカバー部１１の内側に実装され、且つカバー部１１が透明の部材で形成されていることにより、開封をすることなく、カバー部１１の外側から底面３７を通して電子部品群２７を見ることができる。
【００４０】
以上、説明してきた基板ケース１によれば、予備ピン１７がカバー部１１と一体に形成されているため、再封止をする際に、新たな予備ピン１７（またはピン１３）を用意する手間が要らない。しかも予備ピン１７は、再封止可能な回数（基板ケース１では３回）に対応して３個形成されているので、一切用意する必要がない。また、残っている予備ピン１７の数から、あと何回、再封止できるかを知ることができる。また予備ピン１７は、ブラケット１８によって保護されているため、遊技機への組み付け工程において予備ピン１７が不意に外れてしまうことがない。また、予備ピン１７がカバー部１１と同じ材質にて形成されているため、開封をする際には壁状部分６５および予備ピン１７を同じ工具（ニッパなど）で切断することができ、切断屑は同じ方法にて廃棄することができる。
【００４１】
以上、本発明の実施例として、基板ケース１について説明してきたが、本発明はこうした実施例に何等限定されるものではなく様々な態様で実施しうる。
例えば、基板ケース１では、ピン１３、予備ピン１７が、マーク６８を除いて同じ形状であったが、互いに異なる形状としても良い。そしてピン１３は、最初に使用されるピン挿入口１５の貫通穴にしか入らず、２番目の予備ピン１７は２番目に使用されるピン挿入口１５の貫通穴にしか入らない……というように、専用のピン挿入口１５しか使えないようにしておけば、作業者が誤ったピン挿入口１５にピン１３などを差し込むのを防止できる。
【００４２】
また予備ピン１７をカバー部１１のブラケット１８に形成したが、カバー部１１に直接形成しても良い。また、これら以外の場所に形成しても良い。これについて図１０に示す。まず図１０（ａ）は予備ピン１７をケース本体９の内側に形成したものである。こうすると、基板ケース１を開封しない限り予備ピン１７を入手できないので、ブラケット１８から予備ピン１７のみが持ち去られる、といった不正行為をも防止することができる。なお、ケース本体９内ではなく、カバー部１１内に形成することも考えられるが、カバー部１１側には電子部品群２７が存在するため、予備ピン１７を形成する箇所が制約を受けたり電子部品群２７の配置を変更する必要に迫られたりする虞がある。この点、ケース本体９内に形成しておけば、電子部品群２７による制約などを配慮する必要がない。
【００４３】
図１０（ｂ）は予備ピン１７を封止用ベース６１に形成した例である。このようにしても、図１０（ａ）と同様の効果を奏することができる。また、この場合、予備ピン１７の色が封止用ベース６１と同色の黒色になるため、予備ピン１７を用いて封止を行なった際には、それが何回目の封止であるかをピン挿入口１５を見ることによって知ることができる。なお封止用ベース６１の色は黒以外の色にしても良い。どんな色にせよ、透明以外の色であれば、ピン挿入口１５の位置が分かり易くなり、作業性が良くなる。
【００４４】
また、カバー部を図１１に示すようなものにしてもよい。本図に示すカバー部１１′では、その外側の一部に凹部７３を設けている。凹部７３には３つの凸部７５が立設されており、予備ピン１７′は各凸部７５を挟持することにより保持される。予備ピン１７′はカバー部１１′と同じ材質で形成されており、凸部７５を挟持した後、カバー７７にて覆いがされる。カバー７７は、カバー部１１′の内側から貫通穴７９を通して螺合穴８１にねじ止めすることによりカバー部１１′に固定される。これにより、予備ピン１７′を盗難から防止している。
【００４５】
このようにしても、再封止をする際に、新たな予備ピン１７′を用意する手間が要らない。そして予備ピン１７′は、再封止可能な回数に対応して３個形成されているので、一切用意する必要がなく、残っている予備ピン１７′の数から、あと何回、再封止できるかを知ることができる。また、予備ピン１７′がカバー部１１′と別体にされているにも拘わらず、同じ材質にて形成されているため、開封をする際には壁状部分６５′および予備ピン１７′を同じ工具（ニッパなど）で切断することができ、切断屑は同じ方法にて廃棄することができる。
【００４６】
また、基板ケース１はパチンコ機用として例示したが、パチンコ機以外の遊技機に適用しても構わない。
【図面の簡単な説明】
【図１】  本発明を適用した基板ケース１が設けられたパチンコ機の裏面を示す説明図である。
【図２】  基板ケース１の斜視図である。
【図３】  基板ケース１のカバー部１１に回路基板２１が取り付けられる様子を示す斜視図である。
【図４】  コネクタカバー２９がカバー部１１に取り付けられる様子を示す説明図である。
【図５】  カバー部１１に回路基板２１が取り付けられる様子をケース本体９側から見た斜視図である。
【図６】  カバー部１１がケース本体９に重合される様子を示す説明図である。
【図７】  基板ケース１にて行なわれる封止の説明図である。
【図８】  図２のＢ−Ｂ′断面図である。
【図９】  図２のＣ−Ｃ′断面図である。
【図１０】  予備ピン１７の一体形成の他の態様を示す説明図である。
【図１１】  カバー部の他の態様を示す説明図である。
【符号の説明】
１…基板ケース
７…コネクタ群          ９…ケース本体
１１、１１′…カバー部    １３…ピン
１５…ピン挿入口          １７、１７′…予備ピン
１８…ブラケット          ２１…回路基板
２３ａ、２３ｂ…ボス      ２５、６９…ねじ
２７…電子部品群          ２９…コネクタカバー
３２、３５、５９…穴
３３…コネクタ窓          ３９、４５、４９…周壁
３９ａ…下面              ４７…凸片
５１…係止片              ５３…ガイド部
５９…穴                  ６１…封止用ベース
６３…鉤部                ６５…壁状部分
６７…頂部                ６８…マーク
【図１】
0004854828.tif 000002
【図２】
0004854828.tif 000003
【図３】
0004854828.tif 000004
【図４】
0004854828.tif 000005
【図５】
0004854828.tif 000006
【図６】
0004854828.tif 000007
【図７】
0004854828.tif 000008
【図８】
0004854828.tif 000009
【図９】
0004854828.tif 000010
【図１０】
0004854828.tif 000011
【図１１】
0004854828.tif 000012